(57)【要約】      （修正有）【課題】股関節の柔軟性が乏しくなると、骨盤を正常な位置に保つことができなくなる。そのゆがみは膝に及び、Ｏ脚になり歩行が困難になる。又、膝の柔軟性が乏しくなると、床に座ることや歩行が困難になる。それらにより運動不足となり、免疫力が低下し病気にかかりやすくなる。股関節の柔軟性及び膝の柔軟性が得られる器具を提供する。【解決手段】  キャスター４を取り付けた基台１に自由丁番３で連結されたシューズ７を設ける。膝又は股関節を柔軟にし、脚の筋肉を鍛えることができる。このことにより歩行力の回復又は維持に役立ち健康を維持する一助となる。【選択図】図１
2006020997.tif 000002
【特許請求の範囲】
【請求項１】
キャスターを取り付けた基台に、自由丁番で連結されたシューズが設けてあることを特徴とする器具。
【発明の詳細な説明】
【技術分野】
【０００１】  両足に装着し、取り付けてあるキャスターを転がし脚の開閉又は伸縮又は回転運動をする。このことにより膝又は股関節を柔軟にし、脚腰の機能回復又は筋肉強化又は健康維持の一助となることを目的とした器具に関するものである。【０００２】  尚、本発明において足及び脚の定義は以下のようにする。くるぶしから爪先までの範囲を強調する場合には、足と表現する。又それを強調しない場合は脚と表現し、骨盤の下から爪先までの身体の範囲を表すものとする。
【発明の開示】
【発明が解決しようとする課題】
【０００３】  股関節の柔軟性が乏しくなると、骨盤を正常な位置に保つことができなくなる。そのゆがみは膝関節に及び、Ｏ脚になり歩行が困難になる。又、膝の柔軟性が乏しくなると、床に座ることや歩行が困難になる。それらにより運動不足になり免疫力が低下し病気にかかりやすくなる。
【解決するための手段】
【０００４】  本発明である、キャスターを取り付けた基台に、自由丁番で連結されたシューズが設けてある器具を用いる。
【発明の効果】
【０００５】  本発明を用いることにより、膝又は股関節を柔軟にし、脚の筋肉を鍛えることができる。このことにより歩行力の回復又は維持に役立ち健康を維持する一助となる。
【発明を実施するための最良の形態】
【０００６】  組み立て方法を説明する。図２に示す基台（１）の穴ａ（２）に図７に示す自由丁番（３）をネジで留め付ける。そして、図８に示すキャスター（４）を４個、基台（１）の穴ｂ（５）にネジで取り付け、図１４に示す保護カバー（６）を基台（１）に被せる。ここまで組み立てた状態を図１５に示す。【０００７】  次に図１６に示すブーツ式シューズ（７）の裏にあるボルトａ（８）を自由丁番（３）の穴ｃ（９）に差込みナットで留め付け、ブーツ式シューズ（７）を自由丁番（３）に固定させる。【０００８】  そして、基台（１）及び保護カバー（６）の穴ｄ（１０）にマジックバンドａ（１１）を通す。これで本発明の内股柔軟器具（１２）を利用できる状態になる。これを図１９に示す。図１９は右足用を示しているが、左足用は図１９と対称的である。これを図２０に示す。【０００９】  利用する場合は足をブーツ式シューズ（７）の中に入れマジックバンドａ（１１）及びマジックバンドｂ（１３）で固定する。右足の装着例を図１に、左足の装着例を図２１に示す。【００１０】  具体的な使用例を図２２及び図２３に示す。図２２は両足に本発明の内股柔軟器具（１２）を装着し、脚の開閉運動をする使用例である。又、図２３は同じく本発明の内股柔軟器具（１２）を両足に装着し、脚の伸縮又は回転運動をする使用例である。【００１１】  「実施形態の効果」
図２２の使用例が示すように、本発明を用いて脚の開閉運動をすることにより、股関節に柔軟性を持たせ、ももの内側の筋肉を鍛えることができる。又、図２３の使用例が示すように、脚の伸縮又は回転運動をすることにより、膝及び股関節に柔軟性を持たせ、ももの筋肉を鍛えることができる。【００１２】  これらの運動により、骨盤を正常な位置に保ち、Ｏ脚による歩行困難を防ぐことの一助になる。そして運動不足になり免疫力が低下し病気にかかりやすくなることを防ぐ一助となる。【００１３】  その他の効果について述べる。
膝及び股関節を柔軟にし、ももの内側の筋肉を鍛えることが高齢者の頻尿、尿失禁対策の一助になる。
保護カバー（６）があることにより、運動時の足首への負担を軽減させ、取り扱い上の安全を図ることができるため、気軽に利用することができる。【００１４】  キャスター（４）が付いているため、多方向の運動に対応できる。又その形状が球形であるために、方向転換がスムースにできる。
基台（１）とブーツ式シューズ（７）が自由丁番で連結されているため、足首に負担をかけることなく軽やかに運動ができる。
以上述べた通り、本発明の使用は簡単であるために、各人の状況に見合ったペースで運動をすることができる。【００１５】  「その他の実施形態」
ブーツ式シューズ（７）では窮屈を感じる場合は、その代わりに図２４に示すマジックバンドｃ（１４）の付いたサンダル式シューズ（１５）を用いても良い。右足の装着例を図２７に、左足の装着例を図２８に示す。【００１６】  シューズの材質は、木又は金属又は樹脂又は鉱石等を適宜用いても良い。又、シューズの大きさ又は形状は適宜変更しても良い。
キャスターの形状又は大きさ又は個数は適宜変更しても良い。
【図面の簡単な説明】
【００１７】
【図１】本発明の内股柔軟器具（１２）の右足用を装着した状態を示す斜視図である。
【図２】基台（１）を示す斜視図である。
【図３】基台（１）を示す立面又は背面図である。
【図４】基台（１）を示す平面図である。
【図５】基台（１）を示す底面図である。
【図６】基台（１）を示す側面図である。
【図７】自由丁番（３）を示す斜視図である。
【図８】キャスター（４）を示す斜視図である。
【図９】キャスター（４）を示す立面又は背面図である。
【図１０】キャスター（４）を示す平面図である。
【図１１】キャスター（４）を示す底面図である。
【図１２】キャスター（４）を示す右側面図である。
【図１３】キャスター（４）を示す左側面図である。
【図１４】保護カバー（６）を示す斜視図である。
【図１５】基台（１）に自由丁番（３）及びキャスター（４）及び保護カバー（６）を取り付けた状態を示す斜視図である。
【図１６】ブーツ式シューズ（７）を示す斜視図である。
【図１７】ブーツ式シューズ（７）を示す平面図である。
【図１８】ブーツ式シューズ（７）を示す底面図である。
【図１９】本発明の内股柔軟器具（１２）の右足用を示す斜視図である。
【図２０】本発明の内股柔軟器具（１２）の左足用を示す斜視図である。
【図２１】本発明の内股柔軟器具（１２）の左足用を装着した状態を示す斜視図である。
【図２２】本発明の内股柔軟器具（１２）を両足に装着し、脚の開閉運動をする使用例を示す斜視図である。
【図２３】本発明の内股柔軟器具（１２）を両足に装着し、脚の伸縮又は回転運動をする使用例を示す斜視図である。
【図２４】サンダル式シューズ（１５）を示す斜視図である。
【図２５】サンダル式シューズ（１５）を示す平面図である。
【図２６】サンダル式シューズ（１５）を示す底面図である。
【図２７】ブーツ式シューズ（７）の代わりにサンダル式シューズ（１５）を用いた本発明の内股柔軟器具（１２）の右足用を装着した状態を示す斜視図である。
【図２８】ブーツ式シューズ（７）の代わりにサンダル式シューズ（１５）を用いた本発明の内股柔軟器具（１２）の左足用を装着した状態を示す斜視図である。
【符号の説明】
【００１８】  １  基台                    ２  穴ａ
３  自由丁番                ４  キャスター
５  穴ｂ                    ６  保護カバー
７  ブーツ式シューズ        ８  ボルト  ａ
９  穴ｃ                  １０  穴ｄ
１１  マジックハンドａ      １２  本発明の内股柔軟器具
１３  マジックハンドｂ      １４  マジックハンドｃ
１５  サンダル式シューズ
【図１】
2006020997.tif 000003
【図２】
2006020997.tif 000004
【図３】
2006020997.tif 000005
【図４】
2006020997.tif 000006
【図５】
2006020997.tif 000007
【図６】
2006020997.tif 000008
【図７】
2006020997.tif 000009
【図８】
2006020997.tif 000010
【図９】
2006020997.tif 000011
【図１０】
2006020997.tif 000012
【図１１】
2006020997.tif 000013
【図１２】
2006020997.tif 000014
【図１３】
2006020997.tif 000015
【図１４】
2006020997.tif 000016
【図１５】
2006020997.tif 000017
【図１６】
2006020997.tif 000018
【図１７】
2006020997.tif 000019
【図１８】
2006020997.tif 000020
【図１９】
2006020997.tif 000021
【図２０】
2006020997.tif 000022
【図２１】
2006020997.tif 000023
【図２２】
2006020997.tif 000024
【図２３】
2006020997.tif 000025
【図２４】
2006020997.tif 000026
【図２５】
2006020997.tif 000027
【図２６】
2006020997.tif 000028
【図２７】
2006020997.tif 000029
【図２８】
2006020997.tif 000030